(57)【要約】      （修正有）【課題】被取付部材のサポート強度を強化できる迅速取付装置を備えたスライドレールキットを提供する。【解決手段】外、中、内レール１０、１２、１４、ボールベアリング保持器１８を含む。中レールは第一凹口２８を備え、内レールは第一、第二窪み部３６ａ、３６ｂを備える。ボールベアリング保持器は上、下構造部材を含み、上、下構造部材は間隔をあけた複数個の保持段を備え、各保持段には一つのボールを配置し、二つの保持段間の２点間距離は被取付部材の第一栓体の最大直径より大きくする。内レールが中レールに対して延伸し、第一窪み部３６ａが第一凹口とボールベアリング保持器の任意二つの保持段との間の位置に重なる時、第一栓体は第一凹口を貫通し、ボールベアリング保持器を避けて内レールの第一窪み部３６ａ内に入り掛止される。【選択図】図１
0003172302.tif 000002
【実用新案登録請求の範囲】
【請求項１】
外レールと；
スライド可能状態で外レールに連結し、第一壁と、第一壁との対称位置にある第二壁と、第一壁と第二壁とに連接する第三壁とを含み、そのうち、第一壁は、第一軸受面と第一凹口を備え、第二壁は、第二軸受面を備える中レールと；
外レールと中レールとの間に配置する少なくとも一つの内ボール部と；
上壁と、上壁の向かい側に位置する底壁と、上壁と底壁とに連接する側壁とを含み、前記上壁は中レールの第一壁の第一軸受面に向き合い、前記底壁は中レールの第二壁の第二軸受面に向き合い、上壁は少なくとも、第一窪み部と第二窪み部とを含み、各窪み部は側壁の一部分に延伸する内レールと；
少なくとも、第一栓体と、第二栓体とを含む被取付部材と；
上構造部材と、上構造部材に向き合う側に配置する下構造部材と、上構造部材と下構造部材とに連接する連接部材とを含み、ある長さを備えさせ、上構造部材はその長さ方向に沿って間隔をあけた複数個の上保持段を備え、各上保持段には少なくとも一つの上ボールを配置し、且つそれぞれ二つの上保持段の間の２点間距離は、被取付部材の第一栓体の最大直径を超え、下構造部材も上構造部材の長さに対応し間隔をあけた複数個の下保持段を備え、下構造部材の下保持段に沿って複数個の下ボールを配置し、前記上ボールは内レールの上壁と中レールの第一軸受面との間に配置し、前記下ボールは内レールの底壁と中レールの第二軸受面との間に配置するボールベアリング保持器と；からなり、
内レールが中レールに対して延伸位置にある時、内レールの第一窪み部は、中レールの第一壁の第一凹口と重なり、且つ、ボールベアリング保持器の任意二つの上保持段間に相対するため、被取付部材の第一栓体は中レールの第一凹口を貫通し、ボールベアリング保持器を避けて、内レールの第一窪み部内に入り、掛止されることを特徴とする迅速取付装置を備えたスライドレールキット。
【請求項２】
前記内レールには、第一窪み部と第二窪み部との間に位置する第三窪み部を配置し、被取付部材には、第一栓体と第二栓体との間に位置する第三栓体を配置し、且つ、第三栓体は、内レールの第三窪み部内に嵌入して掛止されることを特徴とする請求項１に記載の迅速取付装置を備えたスライドレールキット。
【請求項３】
前記中レールの第二壁は、第一壁の第一凹口と相対する位置にある第二凹口を備えることを特徴とする請求項１に記載の迅速取付装置を備えたスライドレールキット。
【考案の詳細な説明】
【技術分野】
【０００１】
本考案は、迅速取付装置を備えたスライドレールキットに関し、特に、被取付部材を迅速に取り付け、安定した支持をおこなうスライドレールキットに関する。
【背景技術】
【０００２】
フォール（Ｆａｌｌ）等の発明による特許文献１の「クイックマウント装置を備えた伸縮自在スライド（Ｔｅｌｅｓｃｏｐｉｎｇ  ｓｌｉｄｅ  ｗｉｔｈ  ｑｕｉｃｋ−ｍｏｕｎｔ  ｓｙｓｔｅｍ）」で開示された三段階式スライドレールキットは、固定レール（ｓｔａｔｉｏｎａｒｙ  ｓｌｉｄｅ）２０と、シャーシサポートレール（ｃｈａｓｓｉｓ−ｓｕｐｐｏｒｔ  ｓｌｉｄｅ）２４と、固定レールとシャーシサポートレールとの間に位置する中レール（ｉｎｔｅｒｍｅｄｉａｔｅ  ｓｌｉｄｅ）２２とを含んでなる。そのうち、中レールには開孔（図面符号１０５の隣）を設ける。
【０００３】
シャーシサポートレールには、Ｌ字型の窪み部（Ｌ−ｓｈａｐｅｄ  ｓｌｏｔｓ  １６）を三つ配置し、シャーシ（ｃｈａｓｓｉｓ）１２の側壁には栓体（ｍｏｕｎｔｉｎｇ  ｐｏｓｔｓ）１４を三つ備える。図４に示すとおり、シャーシサポートレールが中レールに対して引っ張り出され予定位置まで延伸した時、中レールの開孔は、シャーシサポートレールの末端に近い窪み部に対応し、中レールの開孔を貫通したシャーシの栓体は、シャーシサポートレールの窪み部内に挿入し、引き掛けられて定位し、シャーシのその他の栓体もまた、シャーシサポートレールのその他の窪み部に引き掛けられる。これによって、シャーシは、シャーシサポートレールによって連結され、支持される。しかし、前述のフォール（Ｆａｌｌ）等による発明に開示された固定レールと、シャーシサポートレールと、中レールとの間には、スライドを助けるボールを配置していないため、ユーザーがシャーシを移動させる時、前述の各スライドレール間には明らかな摩擦抵抗力が生じ、シャーシの引っぱり出しや中にしまう際に大きな力を必要とする。
【０００４】
ヤング（Ｙｏｕｎｇ）等の発明による特許文献２の「ドロップインボールベアリングスライドキット（Ｄｒｏｐ−ｉｎ  ｂａｌｌ  ｂｅａｒｉｎｇ  ｓｌｉｄｅ  ａｓｓｅｍｂｌｙ）」で開示された三段階式スライドレールキットには、図４に示すとおり、固定レール段（ｓｔａｔｉｏｎａｒｙ  ｓｌｉｄｅ  ｓｅｇｍｅｎｔ）３１０と、中レール段（ｉｎｔｅｒｍｅｄｉａｔｅ  ｓｌｉｄｅ  ｓｅｇｍｅｎｔ）３３０と、可動レール段（ｍｏｖａｂｌｅ  ｓｌｉｄｅ  ｓｅｇｍｅｎｔ）３５０と、固定レール段と中レール段との間に配置するボールベアリングスペーサ（ｂａｌｌ  ｂｅａｒｉｎｇ  ｓｐａｃｅｒ）３２０とを備える。これによって、中レール段は、固定レール段においてボールベアリングスペーサを利用してスライドし、ボールベアリング保持器（ｂａｌｌ  ｂｅａｒｉｎｇ  ｒｅｔａｉｎｅｒ）３４０は、中レール段と可動レール段の間に配置される。そのうち、固定レール段は、ラックフレーム（ｒａｃｋ  ｆｒａｍｅ）１０に取り付け可能であり、中レール段には開孔（ｏｐｅｎｉｎｇ）３３９を備える。
【０００５】
可動レール段には複数個の窪み部（ｓｌｏｔｓ）３６０を備える。サーバ（ｓｅｒｖｅｒ）２０の側壁には、複数個の栓体（ｍｏｕｎｔｓ  ３７０）を備える。ボールベアリング保持器は、図６Ａ及び図６Ｃに示すとおり、上構造部材（ｔｏｐ  ｅｌｏｎｇａｔｅ  ｍｅｍｂｅｒ）３４２、３４２”と、底構造部材（ｂｏｔｔｏｍ  ｅｌｏｎｇａｔｅ  ｍｅｍｂｅｒ）３４４、３４２”と、上構造部材の一部長さＬ２に沿って複数個の第一ボールベアリング部（ｆｉｒｓｔ  ｓｅｔ  ｏｆ  ｂａｌｌ  ｂｅａｒｉｎｇｓ）３４２ａ、３４２ａ”を備え、底構造部材の長さＬ１に沿って複数個の第二ボールベアリング部（ｓｅｃｏｎｄ  ｓｅｔ  ｏｆ  ｂａｌｌ  ｂｅａｒｉｎｇｓ）３４４ａ、３４４ａ”を備える。よって、上構造部材の底構造部材に対応する箇所に上スペース段（ｕｐｐｅｒ  ｓｐａｃｅ）”が形成される。これは、図６Ａに示したＬ１からＬ２を引いた部分である。或いは、図６Ｃに示したように、上構造部材には開孔（ｏｐｅｎｉｎｇ）３４９を形成する。可動レール段が中レール段に対して引っ張り出され、予定位置まで延伸する時、図７及び図８Ａ乃至図８Ｃに示すとおり、中レール段の開孔（ｏｐｅｎｉｎｇ  ３３９）は、可動レール段の窪み部の開孔（ｏｐｅｎｉｎｇ）３６２に対応するため、サーバの栓体（ｍｏｕｎｔｓ  ３７０）は中レール段の開孔を貫通し、尚且つ、ボールベアリング保持器の前記上構造部材に形成した「上スペース段」または「開孔」によって、サーバの栓体は、ボールベアリング保持器を避けて、可動レール段窪み部のネック部（ｎｅｃｋ  ｐｏｒｔｉｏｎ）３６４に嵌入されて掛止、定位し、サーバのその他の栓体は、可動レール段のその他の窪み部に掛止する。これにより、サーバは、可動レール段によって連結、支持され、ボールの助けをかりてスライドし、便利に移動できる。しかしながら、ヤング（Ｙｏｕｎｇ）等により開示されたボールベアリング保持器は、特定規格に基づくサーバの栓体だけを組み合わせて取り付けできることは明らかであり、一旦、サーバのサイズ規格が変化したなら、ボールベアリング保持器の「上スペース段」或いは「開孔」の位置を改めて調整しなければならず、金具の作り直しとなり、製造コストの向上を招く。図６Ａに示すとおり、例え、ボールベアリング保持器の「上スペース段」を比較的長くしたとしても、ボールベアリング保持器の上、下ボールサポート能力が不均衡となる現象が生じ、スライドレールの荷重支持状態に影響を与える。
【０００６】
よって、公知技術には前述したような欠点が存在するため、それらの欠点を改善すべく、さらに好ましい設計の提供が必要となる。
【先行技術文献】
【特許文献】
【０００７】
【特許文献１】米国特許第６、２０９、９７９号明細書
【特許文献２】米国特許公開第２００７／０１２７８５６号明細書
【考案の概要】
【考案が解決しようとする課題】
【０００８】
本考案は、安定した支持を与える迅速取付装置を備えたスライドレールキットの提供を目的とする。
【課題を解決するための手段】
【０００９】
本考案の開示する迅速取付装置を備えたスライドレールキットは、外レールと、中レールと、少なくとも一つの内ボール部と、内レールと、被取付部材と、ボールベアリング保持器とを含む。
【００１０】
中レールは、スライド可能状態で外レールに連結し、第一壁と、第一壁との対称位置にある第二壁と、第一壁と第二壁とに連接する第三壁とを含む。そのうち、第一壁には、第一軸受面と第一凹口を備え、第二壁には、第二軸受面を備える。
少なくとも一つの内ボール部は、外レールと中レールとの間に配置する。
内レールには、上壁と、上壁の向かい側に位置する底壁と、上壁と底壁とに連接する側壁とを含む。そのうち、内レールの上壁は、中レールの第一壁の第一軸受面に向き合い、内レールの底壁は、中レールの第二壁の第二軸受面に向き合う。内レールの上壁には、少なくとも、第一窪み部と第二窪み部とを含み、各窪み部は、内レールの側壁の一部分に延伸する。
被取付部材には、少なくとも、第一栓体と、第二栓体とを含む。
ボールベアリング保持器は、上構造部材と、上構造部材に向き合う側に配置する下構造部材と、上構造部材と下構造部材とに連接する連接部材とを含む。ボールベアリング保持器には、ある長さを備えさせ、上構造部材には、その長さ方向に沿って間隔をあけた複数個の上保持段を備え、各上保持段には少なくとも一つの上ボールを配置し、尚且つ、それぞれ二つの上保持段の間の２点間距離は、被取付部材の第一栓体の最大直径を超え、その２点間距離を利用して、被取付部材の第一栓体はボールベアリング保持器の上構造部材を貫通する。また、下構造部材にも、上構造部材の長さに対応し、間隔をあけた複数個の下保持段を備え、下構造部材の下保持段に沿って複数個の下ボールを配置する。そのうち、上ボールは、内レールの上壁と中レールの第一軸受面との間に配置し、下ボールは、内レールの底壁と中レールの第二軸受面との間に配置する。
内レールが中レールに対して延伸位置にある時、内レールの第一窪み部は、中レールの第一壁の第一凹口に重なり、尚且つ、ボールベアリング保持器の任意二つの上保持段間に相対するため、被取付部材の第一栓体は、中レールの第一凹口を貫通し、ボールベアリング保持器を避けて、内レールの第一窪み部内に入り、掛止する。
【００１１】
最も好ましくは、内レールには、第一窪み部と第二窪み部との間に位置する第三窪み部を配置し、被取付部材には、第一栓体と第二栓体との間に位置する第三栓体を配置し、尚且つ、第三栓体は、内レールの第三窪み部内に嵌入して掛止する。
【００１２】
最も好ましくは、中レールの第二壁には、第一壁の第一凹口と相対する位置にある第二凹口を備える。
【考案の効果】
【００１３】
本考案の迅速取付装置を備えたスライドレールキットは、互いに相対的に配置される中レールと、内レールと、ボールベアリング保持器によって、被取付部材のサポート強度を確実に強化でき、多種の異なるサイズのシャーシを取り付けて使用するのに適合し、さらに好ましい産業上の利用価値を備え、被取付部材の迅速取り付けを提供する。
【図面の簡単な説明】
【００１４】
【図１】本考案の実施例に関するスライドレールキットの配置を示す説明図である。
【図２】本考案の実施例に関するスライドレールキットの断面図である。
【図３】本考案の実施例に関するボールベアリング保持器の構造を示す説明図である。
【図４】本考案の実施例に関するスライドレールキットと被取付部材の対応関係を示す説明図である。
【図５】本考案の実施例に関する被取付部材の第一栓体をスライドレールキットに合わせて取り付ける状態を示す説明図である。
【図６】本考案の実施例に関する被取付部材とスライドレールキットの取り付け完成状態を示した断面図である。
【考案を実施するための形態】
【００１５】
図１及び図２に示した本考案の実施例に関するスライドレールキットは、外レール１０と、中レール１２と、内レール１４と、外レール１０と中レール１２との間に配置する少なくとも一つの内ボール部１６と、中レール１２と内レール１４との間に配置するボールベアリング保持器１８（ｂａｌｌ  ｂｅａｒｉｎｇ  ｒｅｔａｉｎｅｒ）とを含む。
【００１６】
そのうち、外レール１０は、ラック（ｒａｃｋ）上に取り付けて定位させる。
【００１７】
中レール１２は、スライド可能状態で外レール１０に連結し、第一壁２０と、第一壁２０との対称位置にある第二壁２２と、第一壁２０と第二壁２２とに連接する第三壁２４とを含む。そのうち、第一壁２０は、第一軸受面２６ａを備え、第二壁２２は、第二軸受面２６ｂを備える。好ましい実施例において、中レール１２の第一壁２０は第一凹口２８を備え、さらに、第二壁２２は、第一壁２０の第一凹口２８の向かい側に位置する第二凹口２９を備える。よって、中レール１２を組み立てて使用する時、左、右を区別しなくてもよい。
【００１８】
内レール１４は上壁３０と、上壁３０の向かい側に位置する底壁３２と、上壁３０と底壁３２とに連接する側壁３４とを含む。そのうち、内レール１４の上壁３０は、中レール１２の第一壁２０の第一軸受面２６ａに向き合い、内レール１４の底壁３２は中レール１２の第二壁２２の第二軸受面２６ｂに向き合う。好ましい実施例において、内レール１４の上壁３０は第一窪み部３６ａと、第二窪み部３６ｂと、第一窪み部３６ａと第二窪み部３６ｂとの間に配置する第三窪み部３６ｃとを含み、且つ、各窪み部３６ａ、３６ｂ、３６ｃは、内レール１４の側壁３４の一部まで延伸する。最も好ましくはさらに、内レール１４に配置する嵌合制御片３７を含み、内レール１４に相対する嵌合制御片３７は引き動かされて湾曲し、復位することが可能であり、且つ、嵌合制御片３７は窪み部３６ａ、３６ｂ、３６ｃの一つに対応する。
【００１９】
ボールベアリング保持器１８は図３に示すとおり、上構造部材３８と、上構造部材３８に向き合う側に配置する下構造部材４０と、上構造部材３８と下構造部材４０とに連接する連接部材４２とを含む。ボールベアリング保持器１８は、ある長さを備え、上構造部材３８はその長さ方向に沿って間隔をあけた複数個の上保持段４４を備え、各上保持段４４には少なくとも一つの上ボール４６を配置し、且つ、二つの上保持段４４の間にはそれぞれ、適当な幅である２点間距離Ｌ１を備えさせる。また、下構造部材４０にも、上構造部材３８の長さに対応し、間隔をあけた複数個の下保持段４８を備え、下構造部材４０の下保持段４８に沿って複数個の下ボール５０を配置する。そのうち、上ボール４６は、内レール１４の上壁３０と中レール１２の第一壁２０の第一軸受面２６ａとの間に配置し、下ボール５０は、内レール１４の底壁３２と中レール１２の第二壁２２の第二軸受面２６ｂとの間に配置する。
【００２０】
前述したスライドレールキットは図４に示すとおり、例えばシャーシ（ｃｈａｓｓｉｓ）等の被取付部材５２に取り付けて使用するものである。被取付部材５２は少なくとも、第一栓体５４ａと、第二栓体５４ｂと、第一栓体５４ａと第二栓体５４ｂの間に配置する第三栓体５４ｃとを含む。そのうち、第一栓体５４ａの最大直径Ｄ１は、ボールベアリング保持器１８の任意二つの上保持段４４間の２点間距離Ｌ１より小さく、該最大直径は通常、栓体の円形頭部の直径を指すため、第一栓体５４ａはボールベアリング保持器１８の阻止を受けず、内レール１４の第一窪み部３６ａ内に嵌入して掛止する。第二栓体５４ｂは内レール１４の第二窪み部３６ｂ内に嵌入して掛止し、且つ、前述した嵌合制御片３７がその定位を保つ。また、第三栓体５４ｃは内レール１４の第三窪み部３６ｃ内に嵌入して掛止する。
【００２１】
図５及び図６は被取付部材５２の内レール１４に対する掛止を示す説明図である。内レール１４が中レール１２に対して延伸位置にある時、内レール１４の上壁３０の第一窪み部３６ａは中レール１２の第一壁２０の第一凹口２８に重なり、且つ、従動されるボールベアリング保持器１８によって、中レール１２の第一凹口２８と内レール１４の第一窪み部３６ａは任意二つの上保持段４４間の位置に対応させられるため、被取付部材５２の第一栓体５４ａは中レール１２の第一凹口２８を貫通し、ボールベアリング保持器１８の上保持段４４を避けて、内レール１４の第一窪み部３６ａ内に入り、掛止する。こうして、被取付部材５２は内レール１４に連接し、ボールベアリング保持器１８の上構造部材３８と下構造部材４０、及び上ボール４６と下ボール５０が対称となる形態で中レール１２と内レール１４間を支持し、被取付部材５２はスライドレールキットの内レール１４上に掛止される。よって、内レール１４と中レール１２とは安定したスライドをする連結がなされ、最も好ましいサポート効果を生じさせる。
【００２２】
前述したとおり、本考案はボールベアリング保持器１８の上構造部材３８の元来の長さを短縮することなく、任意二つの上保持段４４間に形成した２点間距離を利用して、ボールベアリング保持器１８の阻止を受けない被取付部材５２の第一栓体５４ａを内レール１４に掛止させることができる。しかも、シャーシの規格サイズに変更があった時であっても、ボールベアリング保持器１８の金型製作を改めて行う必要はなく、シャーシに対するボールベアリング保持器１８の位置を調整するだけでよく、並びに、任意二つの上保持段４４間に形成した２点間距離を利用して、シャーシの栓体を対応させて掛止させられる。また、適当に間隔をあけた上保持段４４と下保持段４８を備えるボールベアリング保持器１８は、左、右のスライドレールキットを共用させる機能を提供する。本考案の実施例は、互いに相対的に配置される中レール１２と、内レール１４と、ボールベアリング保持器１８によって、被取付部材５２のサポート強度を確実に強化でき、多種の異なるサイズのシャーシを取り付けて使用するのに適合し、さらに好ましい産業上の利用価値を備え、被取付部材５２の迅速取り付けを提供する。
【符号の説明】
【００２３】
１０    外レール
１２    中レール
１４    内レール
１６    内ボール部
１８    ボールベアリング保持器
２０    第一壁
２２    第二壁
２４    第三壁
２６ａ  第一軸受面
２６ｂ  第二軸受面
２８    第一凹口
２９    第二凹口
３０    上壁
３２    底壁
３４    側壁
３６ａ  第一窪み部
３６ｂ  第二窪み部
３６ｃ  第三窪み部
３７    嵌合制御部材
３８    上構造部材
４０    下構造部材
４２    連接部材
４４    上保持段
４６    上ボール
４８    下保持段
５０    下ボール
５２    被取付部材
５４ａ  第一栓体
５４ｂ  第二栓体
５４ｃ  第三栓体
【図１】
0003172302.tif 000003
【図２】
0003172302.tif 000004
【図３】
0003172302.tif 000005
【図４】
0003172302.tif 000006
【図５】
0003172302.tif 000007
【図６】
0003172302.tif 000008